(57)【特許請求の範囲】
【請求項１】
屋根パネルの他の屋根パネルと隣接配置される端部に設けられるとともに、上面に前記屋根パネルの防水シートが被せられる被覆部と、前記被覆部よりも前記屋根パネルの外縁側に形成された止水部とを備えて構成され、前記被覆部の少なくとも前記屋根パネル内周側の端部は、前記屋根パネルの内周側方向に向かって低くなる傾斜面とされていることを特徴とする屋根パネル端部の防水部材。
【請求項２】
屋根パネルの他の屋根パネルと隣接配置される端部に設けられるとともに、上面に前記屋根パネルの防水シートが被せられる被覆部と、前記被覆部よりも前記屋根パネルの外縁側に形成された止水部とを備えて構成され、前記被覆部は、前記止水部の上端に連続していることを特徴とする屋根パネル端部の防水部材。
【請求項３】
屋根パネルの他の屋根パネルと隣接配置される端部に設けられるとともに、上面に前記屋根パネルの防水シートが被せられる被覆部と、前記被覆部よりも前記屋根パネルの外縁側に形成された止水部とを備えて構成され、前記被覆部には、被覆部用水返し部が形成されていることを特徴とする屋根パネル端部の防水部材。
【請求項４】
請求項１〜３のいずれかに記載の屋根パネル端部の防水部材において、前記止水部は、複数かつ平行に形成されていることを特徴とする屋根パネル端部の防水部材。
【請求項５】
請求項１〜４のいずれかに記載の屋根パネル端部の防水部材において、前記止水部は、その上端部に前記屋根パネルの内周側に突出した水返し部を備えて形成されていることを特徴とする屋根パネル端部の防水部材。
【請求項６】
請求項１〜５のいずれかに記載の屋根パネル端部の防水部材において、屋根パネルの外縁側の端部には、隣接する屋根パネル側に突出している支持部材が設けられていることを特徴とする屋根パネル端部の防水部材。
【請求項７】
請求項１〜６のいずれかに記載の屋根パネル端部の防水部材において、その上面には、屋根材を支持する支柱部が備えられていることを特徴とする屋根パネル端部の防水部材。
【請求項８】
隣接配置された２つの屋根パネル間の接合部の防水構造であって、前記各屋根パネルの端部には、請求項１〜７のいずれかに記載の防水部材が設けられ、前記各防水部材の被覆部には、各防水シートの端部が被せられ、それらの防水シートに跨って防水テープが貼られていることを特徴とする屋根パネル接合部の防水構造。
【請求項９】
隣接配置された２つの屋根パネル間の接合部の防水方法であって、前記屋根パネルの野地板上でかつ屋根パネルの端部に請求項１〜７のいずれかに記載の防水部材を設置し、前記野地板上面の防水シートの端部を前記防水部材の被覆部に被せて屋根パネルを形成し、各屋根パネルを前記各防水部材が隣接する向きに隣接配置し、これらの２つの屋根パネルの前記防水部材上の防水シートに跨って防水テープを被せることを特徴とする屋根パネル接合部の防水方法。
【発明の詳細な説明】
【０００１】
【発明の属する技術分野】
本発明は、屋根パネル端部の防水部材および屋根パネル接合部の防水構造並びにその防水方法に関する。
【０００２】
【背景技術】
建物の屋根としては、現場作業を軽減するために、工場生産された複数の屋根パネルを並設することで形成されるパネル式の屋根が知られている。
この屋根パネルは、通常、鋼材等を組み合わせた下地フレームと、この下地フレーム上に取り付けられる野地板と、野地板上に貼られる防水シート（例えば、アスファルトルーフィング等）と、防水シート上にその端縁を残して取り付けられる屋根材（例えば、石綿スレート等）とで形成される。
【０００３】
そして、このように形成された屋根パネルは、建築現場では、建て込み寸法誤差や施工寸法誤差を吸収するため、隣接する他の屋根パネルとの間の接合部に隙間を設けて並設され、屋根を形成していた。
このため、前記各屋根パネル間の接合部には、各屋根パネルに跨って防水テープ（改質アスファルトテープ等）を貼り付けて隙間を塞いで防水処理が行われていた。
【０００４】
この際、各屋根パネル上面の防水シートと、防水テープとの密着面における防水性能は、その密着部分の幅寸法によって決まるため、防水シートの防水テープを貼着する部分、つまり、屋根パネルにおいて、屋根材が予め貼られずに防水シートが露出する部分を所定幅寸法確保していた。
【０００５】
【発明が解決しようとする課題】
しかしながら、工場で屋根材を取り付ける際、その屋根材が予め貼られずに防水シートが露出する部分を所定幅寸法確保すると、その分屋根材の取り付け面積が少なくなってしまい、取り付けられなかった屋根材は現場で取り付けなければならず、現場作業を削減することができないという問題があった。
【０００６】
本発明の目的は、屋根パネルにおいて、屋根材の貼られていない部分を少なくでき、屋根パネル接合部での現場作業を削減できる屋根パネル端部の防水部材および屋根パネル接合部の防水構造並びにその防水方法を提供することにある。
【０００７】
【課題を解決するための手段】
本発明の屋根パネル端部の防水部材は、図面を参照して説明すると、屋根パネル３０の他の屋根パネル３０と隣接配置される端部に設けられるとともに、上面に屋根パネル３０の防水シート（例えば、アスファルトルーフィング等）３３が被せられる被覆部４２と、この被覆部４２よりも屋根パネル３０の外縁側に形成された止水部４３とを備えて構成され、前記被覆部４２の少なくとも前記屋根パネル３０の内周側の端部は、前記屋根パネル３０の内周側方向に向かって低くなる傾斜面４２Ｂとされていることを特徴とする。
【０００８】
この隣接配置される各屋根パネル３０の端部にそれぞれ設けられた前記防水部材３６の被覆部４２には、各屋根パネル３０の防水シート３３の端部がそれぞれ被せられており、それらの防水シート３３に跨って防水テープ４１を貼ることで、各屋根パネル３０間の隙間が塞がれて防水処理されている。
【０００９】
このように、屋根パネル３０の端部に予め防水部材３６を取り付けることによって、例えば、２つの屋根パネル３０に取り付けられた防水部材３６の被覆部４２に被せられた防水シート３３に跨って防水テープ４１を貼り付けた場合に、防水テープ４１と防水シート３３との密着面の間から雨水等が侵入しても、止水部４３で雨水等の侵入を止めることができるので、屋根パネル接合部３５への雨水等の侵入を防ぐことができる。
【００１０】
このため、防水テープ４１と防水シート３３との密着部分の幅寸法を長くして防水性能を確保する必要がなく、つまり、防水テープ４１と防水シート３３との密着面の幅寸法（防水シート３３の露出部分の幅寸法）を短くしても従来と同様の防水性能が得られるので、工場で屋根材３４を屋根パネル３０に取り付ける際の屋根材３４の取り付け面積を増やすことができ、その分現場作業を削減することができる。
【００１１】
また、防水部材３６は、屋根パネル３０の防水シート３３の端部が被せられる被覆部４２を備えているので、防水部材３６の下側に雨水等が侵入することも防止できる。
さらに、被覆部４２の端部が傾斜面４２Ｂとされていることによって、傾斜面４２Ｂのない被覆部４２に比べて、防水シート３３全体を被覆部４２に確実に密着させて被せることができるので、その間の接着力をより強固にすることができ、防水シート３３と被覆部４２との密着面の間への雨水等の侵入をより一層確実に防ぐことができる。
【００１２】
また、本発明の屋根パネル端部の防水部材は、屋根パネル３０の他の屋根パネル３０と隣接配置される端部に設けられるとともに、上面に屋根パネル３０の防水シート（例えば、アスファルトルーフィング等）３３が被せられる被覆部４２と、この被覆部４２よりも屋根パネル３０の外縁側に形成された止水部４３とを備えて構成され、前記被覆部４２は、前記止水部４３の上端に連続していることを特徴とする。
このように、被覆部４２が止水部４３の上端に連続していることによって、防水シート３３も止水部４３の上端あるいは内部まで被せることができる。このため、防水テープ４１と防水シート３３の密着面から侵入して防水シート３３上を流れる雨水等を止水部４３に落とすことができるので、防水シート３３と被覆部４２との密着面に雨水等が侵入することを確実に防ぐことができる。
【００１３】
また、本発明の屋根パネル端部の防水部材は、屋根パネル３０の他の屋根パネル３０と隣接配置される端部に設けられるとともに、上面に屋根パネル３０の防水シート（例えば、アスファルトルーフィング等）３３が被せられる被覆部４２と、この被覆部４２よりも屋根パネル３０の外縁側に形成された止水部４３とを備えて構成され、前記被覆部４２には、被覆部用水返し部４２Ａを備えて形成されていることを特徴とする。
このように、被覆部用水返し部４２Ａが形成されていれば、仮に、防水シート３３と被覆部４２との密着面の間へ雨水等が侵入しても、この被覆部用水返し部４２Ａを越えて屋根パネル３０の野地板３２上面への侵入を防ぐことができる。
【００１４】
さらに、前記止水部４３は、複数かつ平行に形成されていることが望ましい。
このように、止水部４３が複数かつ平行に形成されることによって、各止水部４３間には溝部４４が形成される。このため、例えば、防水テープ４１と防水シート３３との密着面の間から雨水等が侵入しても、前記止水部４３で形成された溝部４４で雨水等を排水したり、溜めることができ、屋根パネル接合部３５への侵入をさらに防ぐことができる。
【００１５】
さらに、前記止水部４３は、その上端部に前記屋根パネル３０の内周側に突出した水返し部４３Ａを備えて形成されていることが好ましい。
このように、止水部４３の上端部が屋根パネル３０の内周側に突出した水返し部４３Ａとされていることによって、雨水等が止水部４３を越えることが難しくなり、屋根パネル接合部３５への雨水等の侵入をさらに防ぐことができる。
【００１７】
さらに、屋根パネル３０における外縁側の端部には、隣接する屋根パネル３０側、つまり屋根パネル３０間の隙間部分に突出している支持部材４５が設けられていることが望ましい。
このように、支持部材４５を設けることによって、防水テープ４１の屋根パネル３０間の隙間部分に配置される部分を支えることができ、防水テープ４１の垂れや落下等を防止できる。
【００１８】
また、防水部材３６の上面には、屋根材３４を支持する支柱部４６が備えられていることが好ましい。
このように、防水部材３６に支柱部４６を備えることによって、防水部材３６上に貼られる屋根材３４を支柱部４６で支持することができ、屋根材３４の重みによって止水部４３が潰れることを防止できる。
【００１９】
本発明の屋根パネル接合部の防水構造は、隣接配置された２つの屋根パネル３０間の接合部３５の防水構造であって、前記各屋根パネル３０の端部には、請求項１〜７のいずれかに記載の防水部材３６が設けられ、前記各防水部材３６の被覆部４２には、各防水シート３３の端部が被せられ、それらの防水シート３３に跨って防水テープ４１が貼られていることを特徴とする。
【００２０】
このように、各屋根パネル３０の端部に予め防水部材３６を取り付け、隣接する２つの屋根パネル３０に取り付けられた各防水部材３６の被覆部４２に被せられた各防水シート３３に跨って防水テープ４１を貼り付けることによって、防水テープ４１と防水シート３３との密着面の間から雨水等が侵入しても、止水部４３で雨水等の侵入を止めることができるので、屋根パネル接合部３５への雨水等の侵入を防ぐことができる。
【００２１】
このため、防水テープ４１と防水シート３３との密着部分の幅寸法を長くして防水性能を確保する必要がなく、つまり、防水テープ４１と防水シート３３との密着面の幅寸法（防水シート３３の露出部分の幅寸法）を短くしても従来と同様の防水性能が得られるので、工場で屋根材３４を屋根パネル３０に取り付ける際の屋根材３４の取り付け面積を増やすことができ、その分現場作業を削減することができる。
【００２２】
本発明の屋根パネル接合部の防水方法は、隣接配置された２つの屋根パネル３０間の接合部３５の防水方法であって、前記屋根パネル３０の野地板３２上でかつ屋根パネル３０の端部に請求項１〜７のいずれかに記載の防水部材３６を設置し、前記野地板３２上面の防水シート３３の端部を前記防水部材３６の被覆部４２に被せて屋根パネル３０を形成し、各屋根パネル３０を前記各防水部材３６が隣接する向きに隣接配置し、これらの２つの屋根パネル３０の前記防水部材３６上の防水シート３３に跨って防水テープ４１を被せることを特徴とする。
【００２３】
このように、隣接する２つの屋根パネル３０の防水部材３６上に被せられた防水シート３３に跨って防水テープ４１を貼り付ければ、防水テープ４１と防水シート３３との密着面の間から雨水等が侵入しても、防水部材３６の止水部４３で雨水等の侵入を止めることができるので、屋根パネル接合部３５への雨水等の侵入を防ぐことができる。
【００２４】
このため、防水テープ４１と防水シート３３との密着部分の幅寸法を長くして防水性能を確保する必要がなく、つまり、防水テープ４１と防水シート３３との密着面の幅寸法（防水シート３３の露出部分の幅寸法）を短くしても従来と同様の防水性能が得られるので、工場等で屋根材３４を屋根パネル３０に取り付ける際の屋根材３４の取り付け面積を増やすことができ、その分現場作業を削減することができる。
【００２５】
【発明の実施の形態】
以下に本発明の実施の形態を図面に基づいて説明する。
図１には、本発明の一実施の形態を適用したユニット式建物１が示されている。前記ユニット式建物１は、建物本体１０とその上部に設けられる屋根２０とを含んで形成されている。
【００２６】
建物本体１０は、直方体状の建物ユニット１１を複数個組み合わせることによって形成されている。
【００２７】
また、屋根２０は、複数の屋根パネル３０を建物ユニット１１上に立設した束柱６０等の上に並設して形成されている。
この屋根パネル３０は、建て込み寸法誤差や施工寸法誤差を吸収するため、隣接する他の屋根パネル３０との接合部３５に隙間を設けて並設されている。
【００２８】
屋根パネル３０は、鋼材等を組み合わせた下地フレーム３１と、この下地フレーム３１上に取り付けられる野地板３２と、野地板３２上に貼られるアスファルトルーフィング等からなる防水シート３３と、この防水シート３３上にその端縁を残して取り付けられる石綿スレート等からなる屋根材３４とで形成されている。
【００２９】
図２には、屋根２０の隣接配置された各屋根パネル３０間の水勾配に沿った接合部３５が示されている。
屋根パネル３０の野地板３２上面には、屋根パネル３０の端縁に沿って防水部材３６が取り付けられている。
【００３０】
前記防水部材３６は、他の屋根パネル３０と隣接配置される端部に設けられるとともに、図３にも示すように、その上面に屋根パネル３０の防水シート３３が被せられる被覆部４２と、被覆部４２よりも屋根パネル３０の外縁側に形成された止水部４３とを備えて構成されている。
防水部材３６の被覆部４２には、防水シート３３の端部が被せられ、この防水部材３６上の防水シート３３に跨って防水テープ４１が貼り付けられている。
この防水部材３６は、例えば、天然ゴムや合成ゴム、ＥＰＤＭ（エチレンプロピレンゴム）等の防水性を有する材料を用いて押し出し成形で形成されている。
【００３１】
被覆部４２は、屋根パネル３０の内周側方向に向かって低くなる傾斜面４２Ｂとなっている。
被覆部４２の屋根パネル３０内周側の端部には、屋根パネル３０の上方に突出し、さらにその上端が止水部４３側に突出された被覆部用水返し部４２Ａが形成されている。
また、止水部４３は、防水部材３６の上面から被覆部４２側に向かって斜め上方に突設されている。そして、止水部４３は、互いに平行にかつ２本設けられている。これにより、各止水部４３間には、溝部４４が形成されている。
【００３２】
また、屋根パネル３０外縁側の端部には、隣接する屋根パネル３０側に突出し、かつ、上方に湾曲された支持部材４５が設けられている。
【００３３】
さらに、防水部材３６の上面において、止水部４３の両側には上方に突出し、かつ、その面が止水部４３よりも低くなるように形成された支柱部４６が備えられている。
また、この支柱部４６の上部は、鋸歯状に形成されている。
さらに、防水部材３６の下面には、ブチル粘着材７０を取り付ける凹部４７が形成されている
【００３４】
このような本実施形態において、屋根パネル接合部３５は次のような手順で形成される。まず、工場においては、下地フレーム３１上に野地板３２を取り付けた後、他の野地板３２と隣接配置される端部に、ブチル粘着材７０等の接着材を介して防水部材３６を取り付けて固定する。
次に、防水シート３３の端部を防水部材３６の被覆部４２に被せながら、野地板３２上に貼り付ける。その際、防水シート３３は両面テープ等の粘着部材を介して被覆部４２に貼り付ける。そして、被覆部４２に被せた防水シート３３の端部を除く防水シート３３の上面に、つまり、屋根パネル３０の防水部材３６が貼られた部分を除いて屋根材３４を取り付けて屋根パネル３０を組み立てる。このように組み立てられた屋根パネル３０を現場に輸送する。
【００３５】
建築現場では、搬送された屋根パネル３０を建物本体１０の上部に順次設置する。そして、各屋根パネル３０間の水勾配に沿った接合部３５においては、隣接する２つの屋根パネル３０の防水部材３６を設けた端部に跨って防水テープ４１を貼り付ける。なお、水勾配に直交する方向に沿った接合部３５においては、上側の屋根パネル３０の防水シート３３が延長されているため、その部分を下側の屋根パネル３０の防水シート３３上に貼り付ける。
屋根パネル接合部３５に跨って防水テープ４１、防水シート３３を貼り付けたら、その防水テープ４１、防水シート３３の上面に屋根材３４をそれぞれ取り付ける。このようにして、屋根２０を形成する。
【００３６】
実際に、屋根材３４間から防水シート３３上に雨水等が流れ込んだ場合、防水シート３３と防水テープ４１とは、接着されており、通常、屋根パネル接合部３５側には雨水等が侵入しない。また、仮に侵入しても、まず被覆部４２が備えている被覆部用水返し部４２Ａの立ち上がりによって雨水の侵入が防止される。さらに、それを越えた場合には、被覆部４２は屋根パネル３０の内周側方向に向かって低くなるように傾斜しているので、屋根パネル接合部３５側へ侵入しにくくなっている。そして、被覆部４２を越えた場合でも、屋根パネル３０の内周側方向に向かって斜め上方に突出した２本の止水部４３と支柱部４６とによって、屋根パネル接合部３５への雨水等の侵入が防止される。この際、止水部４３間に形成された溝部４４等に入った雨水は、水勾配によって軒側に排水される。このようなことから、屋根パネル接合部３５の防水性能は非常に高い。
【００３７】
このような本実施形態によれば、次のような効果が得られる。
屋根パネル３０の端部に予め止水部４３を有する防水部材３６を取り付け、隣接する２つの屋根パネル３０に取り付けられた防水部材３６上に被せられた防水シート３３に跨って防水テープ４１を貼り付けたので、防水テープ４１と防水シート３３との密着面の間から雨水等が侵入しても、止水部４３で雨水等の侵入を止めることができ、屋根パネル接合部３５への雨水等の侵入を防ぐことができる。
【００３８】
このため、防水テープ４１と防水シート３３との密着部分の幅寸法を長くして防水性能を確保する必要がなく、つまり、防水テープ４１と防水シート３３との密着面の幅寸法（防水シート３３の露出部分の幅寸法）を短くしても従来と同様の防水性能が得られるので、工場で屋根材３４を屋根パネル３０に取り付ける際の屋根材３４の取り付け面積を増やすことができ、その分現場作業を削減することができる。
【００３９】
また、防水部材３６は、屋根パネル３０の防水シート３３の端部が被せられる被覆部４２を備えているので、防水部材３６の下側つまり野地板３２部分に雨水等が侵入することも防止できる。
【００４０】
さらに、止水部４３が屋根パネル３０の内周側に傾斜した形状に形成されており、水返しとしても機能するため、防水部材３６の上面に垂直な止水部４３を形成するよりも、雨水等が止水部４３を越えることが難しくなり、屋根パネル接合部３５への雨水等の侵入をより防ぐことができる。
【００４１】
さらに、各止水部４３間に溝部４４が形成されているため、前記止水部４３部分に侵入した雨水を溝部４４で排水したり、溜めることができ、屋根パネル接合部３５への侵入をさらに防ぐことができる。
【００４２】
また、被覆部４２の端部に被覆部用水返し部４２Ａに形成されているので、仮に、防水シート３３の端部から防水シート３３および被覆部４２間に雨水等が侵入しても、この被覆部用水返し部４２Ａを越えて屋根パネル３０の野地板３２上面への侵入を防ぐことができる。
さらに、被覆部用水返し部４２Ａの上面が平面状に形成されているので、この上面に防水シート３３を密着することができ、被覆部用水返し部４２Ａを越えて屋根パネル３０の野地板３２上面への侵入をさらに防ぐことができる。
【００４３】
また、被覆部４２が屋根パネル３０の内周側方向に向かって傾斜していることによって、仮に、防水シート３３と防水テープ４１との間から雨水等が侵入しても、屋根パネル接合部３５側へ侵入しにくくなっているので、屋根パネル接合部３５への雨水等の侵入を防ぐことができる。
【００４４】
さらに、支持部材４５を設けることによって、防水テープ４１の屋根パネル３０間の隙間部分に配置される部分を支えることができ、防水テープ４１の垂れや落下を防止できる。
【００４５】
また、防水部材３６に支柱部４６を備えることによって、防水部材３６上に貼られる屋根材３４を支柱部４６で支持することができ、屋根材３４の重みによって止水部４３が潰れることを防止できる。
さらに、止水部４３よりも低い位置に支柱部４６が形成されていることによって、屋根材３４を取り付けた際に、止水部４３が僅かに湾曲して防水テープ４１に確実に密着させることができるので、雨水等が止水部４３を越えることが難しくなり、屋根パネル接合部３５への雨水等の侵入を防ぐことができる。
また、支柱部４６の上部が鋸歯状に形成されているので、防水テープ４１に噛み込ませてその位置ずれを防止することができる。
【００４６】
さらに、防水部材３６の下部には、ブチル粘着材７０を取り付ける凹部４７が予め形成されているので、ブチル粘着材７０を容易に取り付けることができ、また、接着材による隙間が生じないので、野地板３２に防水部材３６を確実に密着させて取り付けることができる。
【００４７】
なお、本発明は前記実施の形態に限定されるものではなく、本発明の目的を達成できる他の構成等を含み、以下に示すような変形等も本発明に含まれる。
例えば、前記実施の形態では、止水部４３は屋根パネル３０の内周側方向に傾斜されていたが、例えば、図５に示すように、防水部材３６の上方に垂直に突出した止水部４３でもよいし、前記実施形態の屋根パネル３０の外周側方向に傾斜される止水部４３でもよい。
また、前記実施形態では、止水部４３は、傾斜していただけで、水返し部４３Ａが形成されていなかったが、図４に示すように、止水部４３の上端部に屋根パネル３０の内周側に突出した水返し部４３Ａを備えて形成されてもよいし、湾曲状に形成されることで水返し部４３Ａを備えてもよい。
このように、止水部４３の上端部が屋根パネル３０の内周側に突出した水返し部４３Ａとされていることによって、雨水等が止水部４３を越えることが難しくなり、屋根パネル接合部３５への雨水等の侵入をさらに防ぐことができる。
【００４８】
また、前記実施の形態では、被覆部４２の端部には被覆部用水返し部４２Ａを備えて形成されていたが、この被覆部用水返し部４２Ａは備えなくてもよい。
さらに、被覆部用水返し部としては、前記実施の形態に記載されたものに限らず、例えば、図５に示すように、溝状の被覆部用水返し部４２Ａを形成してもよいし、屋根パネル３０の上方に垂直に突出した形状でもよい。すなわち、防水シート３３と被覆部４２との密着面の間へ雨水等が侵入しても、屋根パネル３０の野地板３２上面側に流れ込むことを確実に防ぐことができる形状を成していればよい。
また、前記実施の形態では、被覆部４２の屋根パネル３０内周側の端部に被覆部用水返し部４２Ａが形成されていたが、例えば、被覆部４２の途中に前記被覆部用水返し部４２Ａが形成されてもよい。
【００４９】
また、前記実施の形態では、被覆部４２において、被覆部用水返し部４２Ａが設けられていない部分は傾斜面４２Ｂとされていたが、例えば、被覆部４２の一部が水平面に形成され、この水平面以外の被覆部４２が傾斜面４２Ｂに形成されていてもよいし、途中で傾斜角度の変わる傾斜面４２Ｂに形成されてもよい。
さらに、被覆部用水返し部４２Ａがない場合には、例えば、図４に示すように、被覆部４２の端部のみが屋根パネル３０の内周側方向に向かって低くなる傾斜面４２Ｂとされ、他の部分が水平面とされていてもよいし、図５に示すように、被覆部４２の全面が傾斜面４２Ｂとされてもよいし、途中で傾斜角度の変わる傾斜面４２Ｂに形成されてもよい。
このように、被覆部４２の端部またはその全面が傾斜面４２Ｂとされていること、すなわち、被覆部４２の少なくとも屋根パネル３０内周側の端部は、屋根パネル３０の内周側方向に向かって低くなる傾斜面４２Ｂとされていることによって、傾斜面４２Ｂのない被覆部４２に比べて、防水シート３３全体を被覆部４２に確実に密着させて被せることができるので、その間の接着力をより強固にすることができ、防水シート３３と被覆部４２との密着面の間への雨水等の侵入をより確実に防ぐことができる。
【００５０】
さらに、前記実施の形態では、被覆部４２は、支柱部４６の下端から形成されて、止水部４３と被覆部４２とは別々に形成されていたが、例えば、図５に示すように、被覆部４２が止水部４３の上端に連続していてもよい。
このように、被覆部４２が止水部４３の上端に連続している、すなわち、溝部４４の上端に連続していることによって、防水シート３３も溝部４４の上端あるいは内部まで被せることができる。このため、防水テープ４１と防水シート３３の密着面から侵入して防水シート３３上を流れる雨水等を溝部４４に落とすことができるので、防水シート３３と被覆部４２との密着面に雨水等が侵入することを確実に防ぐことができる。
【００５１】
また、前記実施の形態では、止水部４３は二本設けられていたが、例えば、止水部４３が一本でもよいし、三本以上の止水部４３が設けられていてもよい。
さらに、前記実施の形態では、止水部４３は屋根パネル３０の端縁に沿って互いに平行に設けられていたが、平行に設けなくてもよい。
【００５２】
また、前記実施の形態では、屋根パネル３０外縁側の端部には、隣接する屋根パネル３０側に突出し、かつ、上方に湾曲された支持部材４５が設けられていたが、例えば、図５に示すように、止水部４３の上端から隣接する屋根パネル３０側に突出して設けられてもよいし、一方の端部から突出し、他方の端部まで延出された支持部材４５を設けてもよい。
【００５３】
さらに、前記支持部材４５を設けなくてもよい。この場合、防水テープ４１として垂れにくい材質で形成されたものを用いてもよいし、図４に示すように、耐熱性のカバー材４１Ａ等を屋根パネル３０に跨って貼り付け、その上に防水テープ４１を貼り付けてもよい。
【００５４】
さらに、前記実施の形態では、防水部材３６は支柱部４６を備えていたが、この支柱部４６を設けず、各止水部４３で屋根パネル３０を支持してもよい。
さらに、前記実施の形態では、支柱部４６は、止水部４３よりも低く形成されていたが、同じ、あるいはそれ以上に形成してもよい。
また、前記実施の形態では、支柱部４６の上部は鋸歯状に形成されていたが、突起状等の凹凸が形成されてもよいし、水平面でもよい。
また、前記実施の形態では、支柱部４６は、長手方向に連続して形成されていたが、例えば、長手方向に一定の間隔で支柱部が設けられてもよい。
さらに、前記実施の形態では、支柱部４６は、止水部４３を挟んでその両側に設けられていたが、止水部４３が潰れないような位置に設けられていればよく、実施形態の位置に限らない。
【００５５】
また、防水部材３６としては、例えば、図５に示すように、屋根パネル３０の端面に係止される係止部４８が設けられたものでもよい。
このように、係止部４８が設けられることによって、例えば、支持部材４５等が設けられ、上方から屋根パネル３０の端部および防水部材３６の端部が見えないために設置しにくい場合でも、屋根パネル３０の端面に防水部材３６の係止部４８を係止させることで、防水部材３６の位置決めが簡単になり、防水部材３６の設置作業を容易にできる。
【００５６】
また、前記実施の形態では、野地板３２の端部に先に防水部材３６を取り付けてから防水シート３３を被せたが、例えば、まず、野地板３２上面に防水シート３３を被せ、その端部をめくって防水部材３６を取り付け、防水シート３３を被せてもよい。但し、先に防水部材３６を被せた方が組立作業が容易にできる。
【００５７】
なお、前記実施の形態では、屋根２０の水勾配に沿った屋根パネル接合部３５の防水構造を示したが、これに限らず、水勾配に直交する方向に沿った屋根パネル３０の接合部３５の防水にも適用できる。
【００５８】
【発明の効果】
以上に述べたように、本発明の屋根パネル端部の防水部材および屋根パネル接合部の防水構造並びにその防水方法によれば、他の屋根パネルと隣接配置される端部およびその上面に前記屋根パネルの防水シートが被せられる被覆部と、前記被覆部よりも屋根パネルの外縁側に形成された止水部とを備えて構成された防水部材を設けることによって、屋根パネル接合部への雨水等の侵入を防ぐことができ、防止テープと防水シートとの密着面の幅寸法（防水シートの露出部分の幅寸法）を短くすることができるので、工場で屋根材を屋根パネルに取り付ける際の屋根材の取り付け面積を増やすことができて、その分現場作業を削減することができる。
【図面の簡単な説明】
【図１】本発明の一実施形態における建物の屋根構造を示す斜視図である。
【図２】本発明の一実施形態における屋根パネル接合部の防水構造を示す断面図である。
【図３】本発明の一実施形態における防水部材を示す斜視図である。
【図４】本発明の変形例における屋根パネル接合部の防水構造を示す断面図である。
【図５】本発明の他の変形例における屋根パネル接合部の防水構造を示す断面図である。
【符号の説明】
３０  屋根パネル
３２  野地板
３３  防水シート
３５  屋根パネル接合部
３６  防水部材
４１  防水テープ
４２  被覆部
４３  止水部
４４  溝部
４５  支持部材
４６  支柱部
４２Ａ  被覆部用水返し部
４２Ｂ  傾斜面
４３Ａ  水返し部
【図１】
0003756275.tif 000002
【図２】
0003756275.tif 000003
【図３】
0003756275.tif 000004
【図４】
0003756275.tif 000005
【図５】
0003756275.tif 000006